(57)【要約】      （修正有）【課題】足の指股部に負担を掛けないだけでなく、保護部材や鼻緒擦れ防止具などの装着具を装着する手間を掛けず、且つ、履物を履いた際、外観的に違和感のない鼻緒及び当該鼻緒を備えた履物を提供する。【解決手段】前壷２の爪先側部分に長手方向の溝部４を設けて断面視Ｕ字状に形成し、或いは、前壷２を中空のチューブ状に形成することにより、足の指股部に接する前壷２がクッション性に優れている鼻緒１を備えた履物５を形成する。【選択図】図３
0003168787.tif 000002
【実用新案登録請求の範囲】
【請求項１】
前壷の爪先側部分に長手方向の溝部を設けてなることを特徴とする鼻緒。
【請求項２】
前壷が中空のチューブ状に形成されてなることを特徴とする鼻緒。
【請求項３】
前記請求項１又は請求項２のいずれかに記載の鼻緒を備えてなることを特徴とする履物。
【考案の詳細な説明】
【技術分野】
【０００１】
本考案は、足の指股部に負担を掛けない鼻緒及び当該鼻緒を備えた履物に関する。
【背景技術】
【０００２】
サンダル、草履や下駄などの鼻緒を備えた履物は、鼻緒が足の指股部に擦れて痛くなったり、皮が剥けたりするなど、足の指股部に大きな負担を掛けるため、装着者のスムーズな歩行に支障を来たすなどの問題がある。そのため、従来、下記のような技術が提供されている。
【０００３】
例えば、前壷(前緒)の足当接側にクッション性のある保護部材を設けた履き物が提供されている（特許文献１）。
【０００４】
また、ソフトでクッション性を有する素材でシート状に形成され、足の指の間に挟まれる鼻緒の前壷（前緒）部分に巻き付けて装着する鼻緒擦れ防止具が提供されている（特許文献２）。
【先行技術文献】
【特許文献】
【０００５】
【特許文献１】実開平６−３８６０２号公報
【特許文献２】実用新案登録第３１０６２５８号公報
【考案の概要】
【考案が解決しようとする課題】
【０００６】
しかしながら、特許文献１及び特許文献２に記載の技術では、前壷（前緒）部分が大幅に膨らんでおり、例えば、着物などで草履を履いた場合に、前記保護部材などが指股部から露出してしまい、外観的に不自然になってしまう問題があった。また、鼻緒を備えた履物を長時間に亘って履いていると、足の親指と人差し指間の指股を意図的に広げてしまうため、足の指股部が不自然に広がって、やはり負担を掛けてしまうおそれがあるという問題があった。さらに、特許文献２に記載の技術では、前壷（前緒）部分にシート状の鼻緒擦れ防止具を巻き付けて装着しなければならないという手間が掛かるという問題があった。
【０００７】
そこで、本考案は、足の指股部に負担を掛けないだけでなく、保護部材や鼻緒擦れ防止具などの装着具を装着する手間を掛けず、且つ、実際に鼻緒を備えた履物を履いた際、外観的に違和感のない鼻緒及び当該鼻緒を備えた履物を提供することを課題とした。
【課題を解決するための手段】
【０００８】
上記課題を解決するために、本考案は次のように構成した。すなわち、本考案に係る請求項１に記載の鼻緒は、前壷の爪先側部分に長手方向の溝部を設けてなることを特徴としている。
【０００９】
また、請求項２に記載の鼻緒は、前壷が中空のチューブ状に形成されてなることを特徴としている。
【００１０】
また、請求項３に記載の履物は、前記請求項１又は請求項２のいずれかに記載の鼻緒を備えてなることを特徴としている。
【考案の効果】
【００１１】
本考案に係る請求項１及び請求項２に記載の鼻緒及び請求項３に記載の当該鼻緒を備えた履物によれば、足の指股部に負担を掛けないだけでなく、保護部材や鼻緒擦れ防止具などの装着具を装着する手間を掛けず、且つ、外観的に自然に違和感なく当該鼻緒を備えた履物を履くことができる。
【図面の簡単な説明】
【００１２】
【図１】本考案に係る鼻緒を示す斜視図である。
【図２】当該鼻緒の前壷を示す拡大斜視図である。
【図３】当該鼻緒を備えた履物を示す図である。
【図４】当該履物の使用状態を示す拡大斜視図である。
【図５】その他実施例の鼻緒の前壷を示す拡大斜視図である。
【考案を実施するための形態】
【００１３】
以下、図面に基づいて本考案を具体的に説明する。なお、本考案に係る「鼻緒を設けた履物」とは、サンダル、草履、下駄、雪駄などの一般的な「鼻緒を設けた履物」の他に、特開２００７−９００１７号公報に開示されている「鼻緒つきのスリッパ」や同様に鼻緒が取り付けられた靴などの鼻緒を設けた全ての履物を言う。まず、図１は、本考案に係る鼻緒１を示す斜視図であり、図２は、当該鼻緒１の前壷２を示す拡大斜視図である。当該鼻緒１は、一般的な鼻緒１と同様に、前壷２と、当該前壷２から二股状に形成された横鼻緒３とからなり、当該前壷２には、爪先方向に開口した長手で断面視Ｕ字状の溝部４が形成されている。
【００１４】
次に、図３は、前記鼻緒１を設けた履物５を示す図である。なお、ここでは、当該履物５として、所謂ビーチサンダルを用いて説明する。当該履物５は、前記鼻緒１と、足裏を載置するための足底部６とからなり、当該足底部６の表面に、前記鼻緒１の前壷２と二股状の横鼻緒３における三つの端部に対応する貫通孔（図示せず。）を設け、当該三つの端部を当該貫通孔に挿入することによって固定して形成される。なお、当該鼻緒１及び足底部６からなる履物５は、一般的に市販されているビーチサンダルと同様に、例えば、ＥＶＡ樹脂、ＰＶＣ樹脂等の合成樹脂、天然ゴム等から形成されている。
【００１５】
また、当該図３に示すように、当該前壷２の溝部４は、当該溝部４の下端の一部を足底部６の貫通孔内に隠れるようにして嵌入することにより、指股部が接触する前壷２において、前壷２の下端で溝部４が形成されていない部分の制約を受けることなく、溝部４の露出部分の下端から上端までを十分に撓みやすくすることができ、指股部に掛かる負担をより軽減することができる。なお、前記前壷２は、溝部４により断面視Ｕ字状になるよう構成されているが、断面視Ｖ字状となるよう溝部４を設けてもよく、クッション性の撓み可能な深さ及び形状であれば、どのような形状であってもいい。また、溝部４の上下方向の長さは、当該図３で示した前壷２の溝部４の長さに限られるものではなく、ビーチサンダルのサイズやデザインに応じて変更可能である。
【００１６】
当該履物５は、ここではビーチサンダルを用いて説明したが、上記の通り、サンダル、草履、下駄、雪駄など鼻緒１を設けた履物５であれば何でもよく、鼻緒１の前壷２の爪先側に長手の溝部４が設けてあればよい。また、草履、下駄や雪駄などの鼻緒１は、一般的に縫製であるところ、当該縫製の鼻緒１の前壷２の爪先側に長手の溝部４を設ければよい。
【００１７】
図４は、上記図３で示した履物５を実際に履いた際の、前壷２及び指股部を示す拡大斜視図である。すなわち、当該履物５を履いて歩行すると、指股部が前壷２に接触するのに合わせて、前記前壷２の溝部４の側壁面が矢印Ａ方向に撓み、指股部に対するクッションとなる。
【００１８】
以上のような鼻緒１及び当該鼻緒１を備えた履物５によれば、上記従来技術とは異なり、別途指股部用の保護部材を装着する必要もなく、当該保護部材によって外観上不自然になることもなく、足の指股部に負担を掛けずに歩行することが可能となる。
【００１９】
上記実施例では、前壷２の爪先側に長手の溝部４を設けたが、図５で示すように、当該前壷２を中空部７を有するチューブ状に形成してもよい。このように構成した前壷２を備えた履物５を履いて歩行すると、指股部が前壷２に接触するのに合わせて、当該チューブ状の前壷２の周側面が撓み、指股部に対するクッションとなるため、上記実施例の鼻緒１及び当該鼻緒１を備えた履物５と同様の効果を得ることができる。
【産業上の利用可能性】
【００２０】
上記実施例では、足の親指と人差し指の指股部に接触する鼻緒１を説明したが、特開平９−１６４００５号公報に記載の「履き物」のように、足の親指と人差し指の指股部に限らず、薬指と小指の指股部や、その他の指間の指股部に接触する鼻緒１として利用することも可能である。
【符号の説明】
【００２１】
１  鼻緒
２  前壷
３  横鼻緒
４  溝部
５  履物
６  足底部
７  中空部
Ａ  矢印
【図１】
0003168787.tif 000003
【図２】
0003168787.tif 000004
【図３】
0003168787.tif 000005
【図４】
0003168787.tif 000006
【図５】
0003168787.tif 000007